(57)【要約】【課題】保護者が、乳幼児の成長度合や性別に合わせたおむつを選択し、乳幼児に対して使用することができるよう、排泄関連情報記録プログラム、排泄関連情報記録方法、及び排泄関連情報記録用コンピュータを提供する。【解決手段】コンピュータに、おむつ着用者の排泄に関する排泄関連情報を記録する記録処理を実行させる排泄関連情報記録プログラムであって、前記コンピュータに、所定のおむつを所有した所有者を対象とする第１アイコンを含む第１画面を、画面に表示させる第１表示処理と、前記第１アイコンがタップされると、前記おむつ着用者の前記排泄関連情報の記録に基づいた追加の所定処理を実行する追加処理と、を実行させることを特徴とする排泄関連情報記録プログラムである。【選択図】図６
2019192146.tif 000002
【特許請求の範囲】
【請求項１】
コンピュータに、おむつ着用者の排泄に関する排泄関連情報を記録する記録処理を実行させる排泄関連情報記録プログラムであって、前記コンピュータに、
所定のおむつを所有した所有者を対象とする第１アイコンを含む第１画面を、画面に表示させる第１表示処理と、
前記第１アイコンがタップされると、前記おむつ着用者の前記排泄関連情報の記録に基づいた追加の所定処理を実行する追加処理と、
を実行させることを特徴とする排泄関連情報記録プログラム。
【請求項２】
請求項１に記載の排泄関連情報記録プログラムであって、
前記第１アイコンがタップされると、前記所定のおむつに関するコードの情報を受け付けるための第２画面を、前記画面に表示させる第２表示処理を、前記コンピュータに実行させ、
前記追加処理は、前記コードの情報が受け付けられると、前記所定処理を実行すること、
を特徴とする排泄関連情報記録プログラム。
【請求項３】
請求項２に記載の排泄関連情報記録プログラムであって、
前記追加処理は、前記コードの情報が受け付けられた後は、前記第１アイコンがタップされると、前記第１表示処理を実行させることなく前記所定処理を実行すること、
を特徴とする排泄関連情報記録プログラム。
【請求項４】
請求項１から３の何れか１項に記載の排泄関連情報記録プログラムであって、
前記所定のおむつを所有したことが無い者を対象とする第２アイコンと、前記第１アイコンと、を含む前記第１画面の前記第２アイコンがタップされると、前記所定のおむつに関する情報を含む第３画面を、前記画面に表示させる第３表示処理を、前記コンピュータに実行させること、
を特徴とする排泄関連情報記録プログラム。
【請求項５】
請求項１から４の何れか１項に記載の排泄関連情報記録プログラムであって、
前記追加処理は、前記排泄関連情報の記録回数の増加に伴う変化を段階的に視認可能な状態で表示する第４画面を、前記画面に表示する第４表示処理を含むこと、
を特徴とする排泄関連情報記録プログラム。
【請求項６】
請求項５に記載の排泄関連情報記録プログラムであって、
前記第４表示処理は、１日あたりに前記記録回数が複数増加した場合であっても、前記変化を１段階のみ増加させて表示すること、
を特徴とする排泄関連情報記録プログラム。
【請求項７】
請求項５または請求項６に記載の排泄関連情報記録プログラムであって、
前記第４表示処理は、前記おむつ着用者に関する登録情報に基づいた画像を含む前記第４画面を、前記画面に表示すること、
を特徴とする排泄関連情報記録プログラム。
【請求項８】
請求項５から７の何れか１項に記載の排泄関連情報記録プログラムであって、
前記追加処理は、前記変化の回数が所定回数となると、前記所定のおむつの提供者に関連するインターネットの所定サイトで利用可能であり、前記所定回数に応じたポイントを示す情報を記憶部に記憶させる記憶処理を含むこと、
を特徴とする排泄関連情報記録プログラム。
【請求項９】
おむつ着用者の排泄に関する排泄関連情報を記録する記録処理を、コンピュータに実行させる排泄関連情報記録方法であって、
第１アイコンがタップされると、所定のおむつを所有した所有者を対象とする第１アイコンを含む第１画面を、前記コンピュータが画面に表示させる第１表示ステップと、
前記第１アイコンがタップされると、前記おむつ着用者の前記排泄関連情報の記録に基づいた追加の所定処理を、前記コンピュータが実行する追加処理ステップと、
を実行させることを特徴とする排泄関連情報記録方法。
【請求項１０】
おむつ着用者の排泄に関する排泄関連情報を記録する記録処理を実行させる排泄関連情報記録用コンピュータであって、
第１アイコンがタップされると、所定のおむつを所有した所有者を対象とする第１アイコンを含む第１画面を、画面に表示させる第１表示処理部と、
前記第１アイコンがタップされると、前記おむつ着用者の前記排泄関連情報の記録に基づいた追加の所定処理を実行する追加処理部と、
を含むことを特徴とする排泄関連情報記録用コンピュータ。
【発明の詳細な説明】
【技術分野】
【０００１】
本発明は、排泄関連情報記録プログラム、排泄関連情報記録方法、及び排泄関連情報記録用コンピュータに関する。
【背景技術】
【０００２】
尿などの排泄物を吸収する使い捨ておむつには、トイレトレーニング用、新生児用、男の子用、女の子用等、様々な種類がある（例えば、特許文献１参照）。
【先行技術文献】
【特許文献】
【０００３】
【特許文献１】特表２０１１−５１７９８５号公報
【発明の概要】
【発明が解決しようとする課題】
【０００４】
一般に、保護者は、乳幼児の成長度合や性別に合わせたおむつを選択し、乳幼児に対して使用することが好ましいが、必ずしもそのようなおむつが選択され、使用されていなかった。
【０００５】
本発明は、上記のような従来の問題に鑑みてなされたものであって、その目的は、排泄関連情報記録プログラム、排泄関連情報記録方法、及び排泄関連情報記録用コンピュータを提供することにある。
【課題を解決するための手段】
【０００６】
上記目的を達成するための主たる発明は、コンピュータに、おむつ着用者の排泄に関する排泄関連情報を記録する記録処理を実行させる排泄関連情報記録プログラムであって、前記コンピュータに、所定のおむつを所有した所有者を対象とする第１アイコンを含む第１画面を、画面に表示させる第１表示処理と、前記第１アイコンがタップされると、前記おむつ着用者の前記排泄関連情報の記録に基づいた追加の所定処理を実行する追加処理と、を実行させることを特徴とする排泄関連情報記録プログラムである。
【発明の効果】
【０００７】
本発明によれば、保護者は、乳幼児の成長度合や性別に合わせたおむつを選択し、乳幼児に対して使用することができる。
【図面の簡単な説明】
【０００８】
【図１】端末１０を説明するための図である。
【図２】登録画面表示処理Ｓ１０の一例を示すフローチャートである。
【図３】トップ画面３０を説明するための図である。
【図４】日記画面３１を説明するための図である。
【図５】登録画面３２を説明するための図である。
【図６】排泄情報の記録に関連する所定の処理を説明するためのフローチャートである。
【図７】選択画面３３を説明するための図である。
【図８】紹介画面３４を説明するための図である。
【図９】受付処理Ｓ４６の一例を示すフローチャートである。
【図１０】受付画面３５に表示されるメッセージ７１を説明するための図である。
【図１１】受付画面３５を説明するための図である。
【図１２】バーコード読取画面３６を説明するための図である。
【図１３】すごろく画面表示処理Ｓ４７の一例を示すフローチャートである。
【図１４】ステージ画面３７を説明するための図である。
【図１５】すごろく画面３８を説明するための図である。
【図１６】メッセージ画面３９を説明するための図である。
【発明を実施するための形態】
【０００９】
本明細書及び添付図面の記載により、少なくとも以下の事項が明らかとなる。  
コンピュータに、おむつ着用者の排泄に関する排泄関連情報を記録する記録処理を実行させる排泄関連情報記録プログラムであって、前記コンピュータに、所定のおむつを所有した所有者を対象とする第１アイコンを含む第１画面を、画面に表示させる第１表示処理と、前記第１アイコンがタップされると、前記おむつ着用者の前記排泄関連情報の記録に基づいた追加の所定処理を実行する追加処理と、を実行させることを特徴とする排泄関連情報記録プログラムである。
【００１０】
このようなプログラムによれば、操作者（保護者）は、乳幼児の成長度合や性別に合わせたおむつを選択し、乳幼児に対して使用することができる。
【００１１】
かかるプログラムであって、前記第１アイコンがタップされると、前記所定のおむつに関するコードの情報を受け付けるための第２画面を、前記画面に表示させる第２表示処理を、前記コンピュータに実行させ、前記追加処理は、前記コードの情報が受け付けられると、前記所定処理を実行すること、が望ましい。
【００１２】
このようなプログラムによれば、所定のおむつの所有者（購入者、譲り受けた者等）のみが、追加処理を実行することができる。このため、所定のおむつを所有する操作者のやる気を高めることができる。
【００１３】
かかるプログラムであって、前記追加処理は、前記コードの情報が受け付けられた後は、前記第１アイコンがタップされると、前記第１表示処理を実行させることなく前記所定処理を実行すること、が望ましい。
【００１４】
このようなプログラムによれば、一旦コードの情報が受け付けられると、所定のおむつの所有者向けの追加の処理が直ちに実行される。このため、操作者がプログラムを使用する際の利便性を向上させることができる。
【００１５】
かかるプログラムであって、前記所定のおむつを所有したことが無い者を対象とする第２アイコンと、前記第１アイコンと、を含む前記第１画面の前記第２アイコンがタップされると、前記所定のおむつに関する情報を含む第３画面を、前記画面に表示させる第３表示処理を、前記コンピュータに実行させること、が望ましい。
【００１６】
このようなプログラムによれば、所定のおむつを所有したことが無い者に対して、所定のおむつの情報が提供される。したがって、操作者は、所定のおむつ（例えば、トレーニング用おむつ）の利点を把握することができるため、より乳幼児の年齢、性別等に適したおむつを選択することができる。
【００１７】
かかるプログラムであって、前記追加処理は、前記排泄関連情報の記録回数の増加に伴う変化を段階的に視認可能な状態で表示する第４画面を、前記画面に表示する第４表示処理を含むこと、が望ましい。
【００１８】
このようなプログラムによれば、操作者は、所定のおむつが用いられた際における排泄記録の経緯（例えば、トイレトレーニングの進捗）を容易に把握することができる。
【００１９】
かかるプログラムであって、前記第４表示処理は、１日あたりに前記記録回数が複数増加した場合であっても、前記変化を１段階のみ増加させて表示すること、が望ましい。
【００２０】
このようなプログラムによれば、操作者は、より実態に沿った所定のおむつの用途に関する進捗（トイレトレーニングの進み具合）を把握することが容易となる
かかるプログラムであって、前記第４表示処理は、前記おむつ着用者に関する登録情報に基づいた画像を含む前記第４画面を、前記画面に表示すること、が望ましい。
【００２１】
このようなプログラムによれば、乳幼児に対し、より適した所定のおむつを使用させる気分を高めることができる。
【００２２】
かかるプログラムであって、前記追加処理は、前記変化の回数が所定回数となると、前記所定のおむつの提供者に関連するインターネットの所定サイトで利用可能であり、前記所定回数に応じたポイントを示す情報を記憶部に記憶させる記憶処理を含むこと、が望ましい。
【００２３】
このようなプログラムによれば、操作者のやる気が向上するため、乳幼児に対し、より適したおむつを使用させ続けることができる。
【００２４】
おむつ着用者の排泄に関する排泄関連情報を記録する記録処理を、コンピュータに実行させる排泄関連情報記録方法であって、第１アイコンがタップされると、所定のおむつを所有した所有者を対象とする第１アイコンを含む第１画面を、前記コンピュータが画面に表示させる第１表示ステップと、前記第１アイコンがタップされると、前記おむつ着用者の前記排泄関連情報の記録に基づいた追加の所定処理を、前記コンピュータが実行する追加処理ステップと、を実行させることを特徴とする排泄関連情報記録方法である。
【００２５】
このような方法によれば、操作者（保護者）は、乳幼児の成長度合や性別に合わせたおむつを選択し、乳幼児に対して使用することができる。
【００２６】
おむつ着用者の排泄に関する排泄関連情報を記録する記録処理を実行させる排泄関連情報記録用コンピュータであって、第１アイコンがタップされると、所定のおむつを所有した所有者を対象とする第１アイコンを含む第１画面を、画面に表示させる第１表示処理部と、前記第１アイコンがタップされると、前記おむつ着用者の前記排泄関連情報の記録に基づいた追加の所定処理を実行する追加処理部と、を含むことを特徴とする排泄関連情報記録用コンピュータである。
【００２７】
このようなコンピュータシステムによれば、操作者（保護者）は、乳幼児の成長度合や性別に合わせたおむつを選択し、乳幼児に対して使用することができる
＝＝＝本実施形態＝＝＝
図１は、端末１０を示す図である。端末１０は、スマートフォンやタブレットであり、端末１０には、様々な機能が実現される。端末１０は、乳幼児の排泄に関連する情報を記録する処理や、所定のおむつを所有する所有者に対する処理を実行する。具体的には、端末１０は、トイレトレーニングに関する情報を記録する処理と、トイレトレーニング用のおむつの購入者に対する追加処理を実行する。なお、本実施形態で、「トイレトレーニング用のおむつ（所定のおむつ）」とは、通常のおむつと比べ、尿の吸収力が低く、乳幼児がおしっこをした際の不快感が乳幼児に伝わり易いおむつである。
【００２８】
端末１０（コンピュータ）は、記憶部２０、制御部２１、入力部２２、画面２３、通信部２４及びカメラ２５を有している。
【００２９】
記憶部２０は、端末１０のプロセッサ（不図示）が実行するトイレトレーニング用プログラム（以下、「プログラム」という。）や各種情報を記憶する。ここで、記憶部２０は、例えばトイレトレーニングの対象となる幼児の名前、性別、生年月日、月齢に関する情報や、現在の日付、時間等の情報を記憶する。
【００３０】
制御部２１は、端末１０に設けられたプロセッサ（不図示）が、プログラムを実行することにより、端末１０に実現される機能ブロックである。制御部２１は、端末１０を統括制御するとともに、各種処理を実行するブロックを複数含む。なお、制御部２１に実現される機能ブロックについての詳細は後述する。
【００３１】
入力部２２には、端末１０の操作者（以下、単に「操作者」という。）の操作結果が入力される。また、入力部２２は、端末１０のタッチパネルである画面２３のタップ操作により実現される。
【００３２】
画面２３は、制御部２１からの指令や操作者の操作結果に基づいて各種の情報を表示し、通信部２４は、各種情報を他の機器等とやり取りする。また、カメラ２５は、撮影によって画像データを取得する。
【００３３】
＜＜制御部２１に実現される機能ブロック＞＞
制御部２１は、登録画面表示処理部１００、選択画面表示処理部１０１、受付画面表示処理部１０２、受付処理部１０３、ステージ画面表示処理部１０４、すごろく画面表示処理部１０５、及びメッセージ画面表示処理部１０６を含む。
【００３４】
登録画面表示処理部１００は、操作者に対し、トイレトレーニングに関する複数の行動項目の実行結果を登録するための登録画面３２（後述）を、画面２３に表示させる処理を行う。
【００３５】
選択画面表示処理部１０１は、操作者に対し、例えば操作者が「トイレトレーニング用おむつ」を購入済みか否か、を選択させる選択画面３３（後述）を、画面２３に表示させる処理を行う。
【００３６】
受付画面表示処理部１０２は、「トイレトレーニング用おむつ」に関する「バーコードＡ（コード）」の情報を受け付けるための受付画面３５（後述）を、画面２３に表示させる処理を行う。なお、「トイレトレーニング用おむつ」に関する「バーコードＡ」は、例えば、おむつを包装するパッケージや、おむつに付されている。なお、「トイレトレーニング用おむつ」に関する情報としては、二次元コードやＡＲ（Augmented Reality：拡張現実）マーカ等であっても良い。
【００３７】
受付処理部１０３は、「トイレトレーニング用おむつ」の「バーコードＡ」の情報を受け付ける。
【００３８】
ステージ画面表示処理部１０４は、トイレトレーニングの進行具合の概要を示すステージ画面３７（後述）を、画面２３に表示させる処理を行う。
【００３９】
すごろく画面表示処理部１０５は、乳幼児のトイレトレーニングの記録回数に基づいて、トイレトレーニングの進行具合の詳細を段階的に示す、すごろく画面３８（後述）を、画面２３に表示させる処理を行う。
【００４０】
メッセージ画面表示処理部１０６は、乳幼児のトイレトレーニングが進行し、所定の状態となると、インターネットの所定のサイトで利用可能な「ポイント」が操作者に付与されたことを示すメッセージ等を含むメッセージ画面３９（後述）を、画面２３に表示させる処理を行う。
【００４１】
＜＜＜登録画面表示処理及び各種画面＞＞＞
以下、図２〜図５を参照しつつ、登録画面３２を表示するための登録画面表示処理Ｓ１０と、画面２３に表示される各種画面と、の詳細について説明する。
【００４２】
まず、画面２３に表示された、トイレトレーニング用プログラムを示すアイコン（不図示）を操作者がタップすると、プログラムが起動される（Ｓ２０）。この結果、図３に示すトップ画面３０が画面２３に表示される（Ｓ２１）。
【００４３】
トップ画面３０は、トイレトレーニング用プログラムの各種処理を実行させるためのメイン画面であり、キャラクターの画像や各種処理を実行させるためのアイコン等を含む。具体的には、トップ画面３０は、「ムーニーカメラ」と表示されたアイコン４０、「にっき」と表示されたアイコン４１、「ぶんせき」と表示されたアイコン４２、「アラーム」と表示されたアイコン４３、「トイちゃれ」と表示されたアイコン４４を含む。
【００４４】
「ムーニーカメラ」のアイコン４０は、カメラ２５を起動させるためのアイコンであり、「にっき」のアイコン４１は、図４に示す日記画面３１を表示させるためのアイコンである。「ぶんせき」のアイコン４２は、トイレトレーニングに関する行動項目の集計結果等を表示させるためのアイコンである。また、「アラーム」のアイコン４３は、プログラムを起動させる時間を設定させるためのアイコンであり、「トイちゃれ」のアイコン４４は、「トイレトレーニング用おむつ」の購入者に対する追加処理を実行させるためのアイコンである。
【００４５】
ここで、操作者が、「にっき」と表示されたアイコン４１をタップすると、制御部２１は、アイコン４１がタップされたことを示す情報を受け付ける（Ｓ２２）。そして、制御部２１は、日記画面３１を、画面２３に表示させる（Ｓ２３）。
【００４６】
日記画面３１は、乳幼児のトイレトレーニングに関する過去の記録を表示する画面であり、過去の記録を示す記録画像４５ａ，４５ｂと、各種処理を実行させるためのアイコン等を含む。ここで、日記画面３１は、各種アイコンとして、「そつぎょう」と表示されたアイコン５０、「ぶんせき」と表示されたアイコン５１、「アルバム」と表示されたアイコン５２、及び「にっき」と表示されたアイコン５３を含む。
【００４７】
「そつぎょう」のアイコン５０は、トイレトレーニングを卒業した際の所定の処理を実行させるためのアイコンであり、「ぶんせき」のアイコン５１は、上述したアイコン４２と同様に、トイレトレーニングに関する行動項目の集計結果等を表示させるためのアイコンである。また、「アルバム」のアイコン５２は、記憶部２０に記憶された所定の画像を表示させるためのアイコンであり、「にっき」のアイコン５３は、登録画面３２を表示させるためのアイコンである。
【００４８】
ここで、操作者が、「にっき」と表示されたアイコン５３をタップすると、制御部２１は、アイコン５３がタップされたことを示す情報を受け付ける（Ｓ２４）。そして、制御部２１は、図５に示す登録画面３２を、画面２３に表示させる（Ｓ２５）。
【００４９】
登録画面３２は、トイレトレーニングに関する複数の行動項目の実行結果を登録するための画面であり、アイコン６０ａ〜６０ｇ、メモ欄６１、アイコン６２〜６４を含む。
【００５０】
アイコン６０ａ〜６０ｇは、難易度の異なる乳幼児のトイレトレーニングの行動項目毎の実行結果を選択させるためのアイコンである。ここで、７つの行動項目は、「親からの声かけは？」、「子からのサインは？」、「トイレに行った？」、「トイレでした？」、「オムツにした？」、「おしっこ出た？」、「うんち出た？」であり、７つの行動項目の夫々に対し、アイコン６０ａ〜６０ｇが設けられている。
【００５１】
アイコン６０ａは、「親からの声かけは？」に対して設けられており、親からの声かけを実行したか否かを選択させる選択肢「した」、「していない」を含む。
【００５２】
アイコン６０ｂは、「子からのサインは？」に対して設けられており、幼児が排泄に関するサインを出したか否かを選択させる選択肢「あり」、「なし」を含む。
【００５３】
アイコン６０ｃは、「トイレに行った？」に対して設けられており、幼児がトイレに行ったか否かを選択させる選択肢「行った」、「行かなかった」を含む。なお、アイコン６０ｃは、トイレで排泄（「おしっこ」または「うんち」）したか否かに関わらず、トイレに行ったか否かを選択させるための選択肢であり、トイレで「おしっこ」または「うんち」をした場合は、他のアイコン６０ｆ，６０ｇが選択される。
【００５４】
アイコン６０ｄは、「トイレでした？」に対して設けられており、幼児がトイレで排泄をしたか否かを選択させる選択肢「した」、「していない」を含む。
【００５５】
アイコン６０ｅは、「オムツにした？」に対して設けられており、オムツに排泄をしたか否か、既にしていたか、今、排泄したか、を選択させる選択肢「していない」、「していた」、「今、した」を含む。
【００５６】
アイコン６０ｆは、「おしっこ出た？」に対して設けられており、幼児がおしっこを便器にした、便器以外でした、またはおしっこをしなかった、のうち何れかを選択させる選択肢「便器に」、「便器以外」、「出なかった」を含む。
【００５７】
アイコン６０ｇは、「うんち出た？」に対して設けられており、幼児がうんちを便器にした、便器以外でした、またはうんちをしなかった、のうち何れかを選択させる選択肢「便器に」、「便器以外」、「出なかった」を含む。便器以外とは、オムツの中にしていた場合や、お風呂場での排泄など便器以外の場所で出た場合に選択される。「便器に」できた場合は、つまり、成功を意味する。
【００５８】
メモ欄６１は、操作者に、例えば、幼児や保護者の気持ちに関するコメントを入力させるための領域であり、アイコン６２は、操作者の心理状態を記録させるためのアイコンであり、操作者の心理状態が良いと操作者が判断した際にタップされる。
【００５９】
アイコン６３は、トイレトレーニングの行動項目毎の実行結果を示すアイコン６０ａ〜６０ｇが選択された後に、選択結果を登録するためのアイコンである。なお、アイコン６３には、「とうろく」との表示がされている。
【００６０】
アイコン６４は、トイレトレーニングで達成すべき複数の達成項目を含む達成項目画面（不図示）を表示させるためのアイコンである。なお、アイコン６４には、「はじめて」との表示がされている。
【００６１】
ここで、操作者は、登録画面３２において、アイコン６０ａ〜６０ｇを選択した後、「とうろく」と表示されたアイコン６３をタップすることにより、乳幼児の排泄に関する情報（アイコン６０ａ〜６０ｇの選択結果）を記録することができる。なお、日記画面３１の記録画像４５ａ，４５ｂは、アイコン６０ａ〜６０ｇの選択結果を示す情報を含む画像である。このため、操作者は、記録画像４５ａ，４５ｂを参照することにより、過去の乳幼児の排泄状況を把握することができる。
【００６２】
＜＜＜「トイレトレーニング用おむつ」の購入者に対する処理＞＞＞
図６は、「トイレトレーニング用おむつ」の購入者（所有者）に対する処理Ｓ１１の一例を示すフローチャートである。ここでは、操作者は、端末１０を操作し、トップ画面３０を画面２３に表示させていることとする。
【００６３】
まず、操作者は、トップ画面３０の「トイちゃれ」と表示されたアイコン４４をタップすると、制御部２１は、アイコン４４がタップされた事を示す情報を受け付ける（Ｓ４０）。そして、制御部２１は、「トイレトレーニング用おむつ」に関する「バーコードＡ」の情報が受付済みであるか否かを判定する（Ｓ４１）。
【００６４】
以下、「バーコードＡ」の情報が受付済みでない場合と、「バーコードＡ」の情報が受付済みの場合とを順次説明する。
【００６５】
＜＜「バーコードＡ」の情報が受付済みでない場合＞＞
「バーコードＡ」の情報が受付済みでないと（Ｓ４１：Ｎｏ）、選択画面表示処理部１０１は、図７に示す「トイレトレーニング用おむつ」が購入済みか否かを選択させる選択画面３３を、画面２３に表示する（Ｓ４２：第１表示処理）。
【００６６】
選択画面３３（第１画面）は、「すでに購入している」と表示されたアイコン７０ａ、「まだ購入していない」と表示されたアイコン７０ｂ、「トレパンマン」と表示されたアイコン７０ｃを含む。
【００６７】
アイコン７０ａ（第１アイコン）は、「トイレトレーニング用おむつ」を購入済みの購入者（所有者）に対する処理を実行させるためのアイコンである。なお、アイコン７０ａは、「すでに購入している」との表示を含むこととしたがこれに限られない。例えば、「トイレトレーニング用おむつ」を所有する者は、「トイレトレーニング用おむつ」を譲渡された場合もある。このため、アイコン７０ａとして「すでに所有している」と表示させても良い。
【００６８】
アイコン７０ｂ（第２アイコン）は、「トイレトレーニング用おむつ」をまだ購入していない者（所有したことが無い者）に対する処理を実行させるためのアイコンである。なお、アイコン７０ｂも、「まだ購入していない」との表示でなく、「まだ所有していない」と表示させても良い。
【００６９】
アイコン７０ｃは、インターネットにおいて、「トイレトレーニング用おむつ」を購入可能な所定のサイトへのアクセスを実行させるためのアイコンである。
【００７０】
ここで、制御部２１は、アイコン７０ａ〜７０ｃのうち、タップ操作されたアイコンを判定する（Ｓ４３）。「まだ購入していない」と表示されたアイコン７０ｂがタップされると（Ｓ４３：アイコン７０ｂ）、制御部２１は、図８に示すように、「トイレトレーニング用おむつ」を紹介するインターネットのサイトの情報を含む紹介画面３４（第３画面）を、画面２３に表示する（Ｓ４４：第３表示処理）。紹介画面３４には、例えば「トイレトレーニング用おむつ」の尿の吸収力は、通常のおむつと比べ低く、乳幼児がおしっこをした際の不快感が乳幼児に伝わり易いこと、「トイレトレーニング用おむつ」はトイレトレーニングに有用であることの説明と、「トイレトレーニング用おむつ」を使用したトイレトレーイングの方法の説明等が含まれている。
【００７１】
「トレパンマン」と表示されたアイコン７０ｃがタップされると（Ｓ４３：アイコン７０ｃ）、制御部２１は、「トイレトレーニング用おむつ」を購入可能な所定のサイトの購入画面（不図示）を、画面２３に表示させる（Ｓ４５）。
【００７２】
「すでに購入している」と表示されたアイコン７０ａがタップされると（Ｓ４３：アイコン７０ａ）、受付処理（Ｓ４６）が実行される。なお、詳細は後述するが、受付処理Ｓ４６は、「トイレトレーニング用おむつ」の「バーコードＡ」を受け付けさせる処理である。そして、受付処理Ｓ４６が実行されると、「トイレトレーニング用おむつ」の購入者を対象とする、すごろく画面表示処理（Ｓ４７：追加処理）が実行される。詳細は後述するが、すごろく画面表示処理（Ｓ４７）は、乳幼児のトイレトレーニングの記録回数に基づいて、トイレトレーニングの進行具合の詳細を段階的に示す、すごろく画面３８（後述）を、画面２３に表示させる処理である。このため、操作者は、すごろく画面３８を確認することにより、トイレトレーニングの進行具合を客観的に把握できる。
【００７３】
＜＜「バーコードＡ」の情報が受付済みの場合＞＞
処理Ｓ１１においては、上述のように、トップ画面３０において、「トイちゃれ」と表示されたアイコン４４をタップされ、制御部２１が、アイコン４４がタップされた事を示す情報を受け付けると（Ｓ４０）、「バーコードＡ」の情報が受付済みであるかが判定される（Ｓ４１）。そして、「バーコードＡ」の情報が受付済みである場合（Ｓ４１：Ｙｅｓ）、すごろく画面表示処理（Ｓ４７）が実行される。つまり、処理Ｓ１１においては、一度「バーコードＡ」が受け付けられると、アイコン４４のタップ操作に基づいて、すごろく画面表示処理（Ｓ４７）が実行される。したがって、操作者は、何度も「バーコードＡ」を入力等する必要がなく、操作者の手間を省くことができる。
【００７４】
＝＝受付処理Ｓ４６＝＝
ここで、図９を参照しつつ、受付処理Ｓ４６の詳細について説明する。まず、受付画面表示処理部１０２は、アイコン７０ａがタップされた情報を受け付け、図１０に示すメッセージ画像７１と、図１１に示す受付画面３５（第２画面）とを、画面２３に表示させる（Ｓ６０：第２表示処理）。メッセージ画像７１は、追加の処理（後述する、すごろく画面表示処理等）に対する説明や、操作者に付与される「ポイント」（後述）の説明を含む画像であり、受付画面３５に重ねて表示される。なお、メッセージ画像７１に含まれる「とじる」と表示されたアイコン７２がタップされると、受付画面表示処理部１０２は、メッセージ画像７１を画面２３から消去するため、受付画面３５が視認可能となる。受付画面３５は、入力欄７５、「スタート」と表示されたアイコン７６、カメラを示すアイコン７７を含む。
【００７５】
入力欄７５は、操作者に、「バーコード」の数字を入力させるための領域であり、アイコン７６は、入力欄７５に入力された「バーコード」の数字を登録させるためのアイコンである。カメラを示すアイコン７７は、端末１０に対して「バーコード」を画像として取り込ませるべく、カメラ２５を起動させるためのアイコンである。受付画面３５は、入力欄７５及びアイコン７７を含むため、操作者は、「バーコード」の数字の入力、または「バーコード」の画像としての取り込みの何れかを選択することができる。
【００７６】
制御部２１は、受付画面３５において、操作者の操作対象を判定する（Ｓ６１）。操作対象が入力欄７５である場合（Ｓ６１：入力欄７５）、受付処理部１０３は、「バーコード」の数字が入力された後に、「スタート」と表示されたアイコン７６がタップされると、入力欄７５に入力された数字を示す情報を受け付ける（Ｓ６２）。そして、制御部２１は、受付処理部１０３が受け付けた情報が、「トレーニング用おむつ」を示す情報であるか否かを判定する（Ｓ６３）。受け付けた情報が、「トレーニング用おむつ」を示す情報である場合（Ｓ６３：Ｙｅｓ）、受付処理Ｓ４６は終了される。
【００７７】
一方、受け付けた数字を示す情報が、「トレーニング用おむつ」を示す情報でない場合（Ｓ６３：Ｎｏ）、制御部２１は、受け付けられた情報が誤っている旨の「メッセージ」（不図示）を、画面２３に表示し（Ｓ６４）、受付画面表示処理部１０２に、受付画面３５を表示させる（Ｓ６０）。したがって、操作者は、「バーコード」の数字を誤って入力すると、再度入力する必要がある。
【００７８】
また、操作対象がカメラを示すアイコン７７である場合（Ｓ６１：アイコン７７）、制御部２１は、カメラ２５を起動する（Ｓ６５）。カメラ２５が起動されると、受付画面表示処理部１０２は、図１２に示すバーコード読取画面３６を、画面２３に表示する（Ｓ６６）。バーコード読取画面３６は、バーコード撮影用の枠８０を含む。そして、操作者は、バーコード８１が枠８０内に収まるよう、カメラ２５を調整した後「バーコード」を撮影すると、受付処理部１０３は、「バーコード」を読み取り、「バーコード」の数字情報を受け付ける（Ｓ６７）。受付処理部１０３は、受け付けた情報が、「トレーニング用おむつ」を示す情報であるか否かを判定し（Ｓ６３）、上述した判定結果に応じた処理（例えばＳ６４等）を実行する。このため、「トレーニング用おむつ」の「バーコードＡ」が撮影された場合は、受付処理Ｓ４６は終了されるが、誤った「バーコード」が撮影されると、再度「バーコード」の画像の取り込みを実行する必要がある。
【００７９】
＝＝すごろく画面表示処理Ｓ４７＝＝
ここで、図１３を参照しつつ、すごろく画面表示処理Ｓ４７の詳細と、画面２３に表示される各種画面と、について説明する。まず、ステージ画面表示処理部１０４は、図１４に示すステージ画面３７を、画面２３に表示させる（Ｓ８０）。ステージ画面３７は、トイレトレーニングの進行具合の概要を示す画面であり、アイコン９０ａ〜９０ｃ，９１，９２を含む。なお、本実施形態では、トイレトレーニングの進行具合を表示するステージとして、３つのステージが設けられている。そして、３つのステージのそれぞれは、同様の「すごろく画面」（後述）を含むこととする。
【００８０】
アイコン９０ａは、「ステージ１」と表示され、第１ステージのすごろく画面３８（後述）を表示させるためのアイコンである。また、アイコン９０ｂは、「ステージ２」と表示され、第２ステージの「すごろく画面」（不図示）を表示させるためのアイコンであり、アイコン９０ｃは、「ステージ３」と表示され、第３ステージの「すごろく画面」（不図示）を表示させるためのアイコンである。なお、本実施形態では、各ステージで達成すべき項目が達成済みとされない限り、各ステージ以降のステージの「すごろく画面」を表示させることできない。例えば、図１３では、第１ステージの達成項目が達成されていなため、アイコン９０ｂ，９０ｃがタップできず、第２，第３ステージの「すごろく画面」を表示できない状態（「まだ行けないよ」と表示された状態）となっている。
【００８１】
アイコン９１は、「スロットで遊ぼう」と表示され、所定のゲーム（スロット）を実行させるためのアイコンである。
【００８２】
アイコン９２は、「トレパンマン」と表示され、「トイレトレーニング用おむつ」を購入可能な所定のサイトへのアクセスを実行させるためのアイコンである。
【００８３】
ここで、操作者が「ステージ１」と表示されたアイコン９０ａをタップすると、すごろく画面表示処理部１０５は、アイコン９０ａのタップ操作の入力を受け付ける（Ｓ８１）。そして、すごろく画面表示処理部１０５は、「本日中」に、乳幼児の「排泄情報」（上述した、アイコン６０ａ〜６０ｇの選択結果）が記録されたか否かを判定する（Ｓ８２）。なお、本実施形態において、「本日」は、所定の時間（例えば、午前０時）から２４時間経過するまでの期間で定められる。
【００８４】
「本日中」に「排泄情報」が記録されていない場合（Ｓ８２：Ｎｏ）、すごろく画面表示処理部１０５は、図１５に示す、すごろく画面３８（第４画面）を、画面２３に表示する（Ｓ８５：第４表示処理）。
【００８５】
ここで、すごろく画面３８は、１０個のアイコン２００ａ〜２００ｊ、アイコン２０１、画像２１０を含む。
【００８６】
アイコン２００ａ〜２００ｊは、「すごろく」の「マス目」を示すアイコンであり、アイコン２００ａ〜２００ｊのそれぞれには、「１」〜「１０」までの数字が表示されている。なお、アイコン２００ａは、第１ステージのすごろくの「スタート」を示すアイコンであり、アイコン２００ｊは、第１ステージのすごろくの「ゴール」を示すアイコンである。
【００８７】
アイコン２０１は、トイレトレーニングの対象となる「男の子」を示すアイコンであり、画像２１０は、「くじら」のイラストを示す画像である。ここで、すごろく画面表示処理部１０５は、操作者により登録され、記憶部２０に記憶された、トイレトレーニングの対象となる乳幼児の「性別」を示す情報（おむつ着用者に関する登録情報）に基づいて、アイコン２０１及び画像２１０の表示内容を定める。具体的には、乳幼児の「性別」が「男」である場合、すごろく画面表示処理部１０５は、図１５に示すように、「男の子」を示すアイコン２０１と、「くじら」を示す画像２１０を表示させる。一方、乳幼児の「性別」が「女」である場合、すごろく画面表示処理部１０５は、アイコン２０１（画像）を「女の子」（不図示）、画像２１０を「イルカ」（不図示）として、すごろく画面３８を、画面２３に表示させる。このように、トイレトレーニングの対象となる乳幼児の登録情報に基づいた、すごろく画面３８が表示されるため、乳幼児のやる気を向上させることができる。
【００８８】
処理Ｓ８２において、「本日中」に「排泄情報」が記録された場合（Ｓ８２：Ｙｅｓ）、すごろく画面表示処理部１０５は、「本日中」に、「男の子」を示すアイコン２０１の位置を更新したか否か、具体的には、アイコン２０１を１マス進めたか否かを判定する（Ｓ８３）。そして、アイコン２０１の位置が更新されていない場合（Ｓ８３：Ｎｏ）、すごろく画面表示処理部１０５は、アイコン２０１の位置を更新する（１マス進める）（Ｓ８４）。この結果、すごろく画面３８では、アイコン２０１の位置（変化）が１マス進んだ状態（段階的に視認可能な状態）で表示されることになる。
【００８９】
一方、処理Ｓ８３において、「本日中」にアイコン２０１の位置が更新された場合（Ｓ８３：Ｙｅｓ）、すごろく画面表示処理部１０５は、アイコン２０１の位置を更新することなく、すごろく画面３８を表示させる（Ｓ８５）。このように、本実施形態では、アイコン２０１の位置は、「排泄情報」が記録されると変化するが、１日あたり「排泄情報」が複数回記録された場合であっても、アイコン２０１の位置は「１マス（第１段階）」しか進まない。一般に、トイレトレーニングは、１日で急激に進むことはない。このため、１日あたりのアイコン２０１が移動する段階を定めることによって、より実態に沿ったトイレトレーニングの進み具合を把握することが可能となる。
【００９０】
また、すごろく画面３８が表示されると、メッセージ画面表示処理部１０６は、アイコン２０１が、「すごろく」の最後のマス目に「ゴール」したか否か（アイコン２００ｊの位置に移動したか否か）を判定する（Ｓ８６）。そして、アイコン２０１が「ゴール」していない場合、一連の処理は終了する。
【００９１】
一方、アイコン２０１が「ゴール」した場合、すなわち、アイコン２０１が１０マス（所定回数）移動し、最後のマス目であるアイコン２００ｊの位置に移動した場合（Ｓ８６：Ｙｅｓ）、メッセージ画面表示処理部１０６は、図１６に示すメッセージ画面３９を、画面２３に表示する（Ｓ８７）。
【００９２】
メッセージ画面３９は、「トレーニング用おむつ」の提供者と関連するインターネットの所定サイトで利用可能な「ポイント」が、操作者に対して付与されたことを示す画面であり、３つの画像３００〜３０２と、３つのアイコン３０３〜３０５を、を含む。
【００９３】
画像３００は、「おめでとう！」とのメッセージを含む画像であり、画像３０１は、「ベビータウンポイント  ２０ポイントＧＥＴ」とのメッセージを含む画像である。画像３０２は、「引き換えシリアル番号  １２３４−５６７８−９００９−１１１１」との情報を含む画像である。
【００９４】
アイコン３０３は、「必ずお読み下さい」との表示を含み、インターネットにおいて、所定の注意事項を説明するためのサイトへのアクセスを実行させるためのアイコンである。
【００９５】
アイコン３０４は、「ベビーポイントって何？」との表示を含み、インターネットにおいて、操作者に対して付与された「ポイント」を説明するためのサイトへのアクセスを実行させるためのアイコンである。
【００９６】
アイコン３０５は、「ベビータウンポイントをもらう」との表示を含み、インターネットにおいて、「ポイント」を取得するための説明を含むサイトへのアクセスを実行させるためのアイコンである。このように、メッセージ画面３９には、操作者に対して付与された「ポイント」の値と、「ポイント」の使用方法等へのサイトのアクセスを実行させるアイコンが表示される。したがって、操作者は、付与された「ポイント」の情報を容易に得ることができる。また、本実施形態において「ポイント」は、トレイトレーニングの「排泄情報」が記録され、アイコン２０１が「すごろく」のゴールに達すると付与される。このため、乳幼児がトイレトレーニングを行うに際し、保護者である操作者のやる気を向上させることができる。
【００９７】
そして、制御部２１は、操作者に対して付与された「ポイント」を示す情報（引き換えシリアル番号  １２３４−５６７８−９００９−１１１１）を、記憶部２０に記憶させる（Ｓ８８：記憶処理）。このため、操作者は、所望のタイミングで「ポイント」を、所定サイトで用いることができる。なお、ここでは、第１ステージのすごろく画面３８を例に説明したが、第２及び第３ステージの「すごろく画面」（不図示）においても同様の処理が実行される。また、例えば、制御部２１は、操作者の所定の操作に基づいて、記憶部２０に記憶された情報のうち、獲得した「ポイント」や「引き換えシリアル番号」を、所定の画面（不図示）に表示しても良い。この場合、操作者は、「ポイント」や「引き換えシリアル番号」を所望のタイミングで確認できる。
【００９８】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００９９】
本実施形態では、「トイちゃれ」と表示されたアイコン４４がタップされると（Ｓ４０）、選択画面３３が画面２３に表示される（Ｓ４２）こととしたが、これに限られない。例えば、プログラムが起動されると（Ｓ２０）、選択画面３３が画面２３に表示されることとしても良い。
【０１００】
本実施形態では、「トレイトレーニング用のおむつ（所定のおむつ）」の購入者を対象として、追加のすごろく画面表示処理（Ｓ４７）が実行されることとしたがこれに限られない。例えば、「新生児用のおむつ」、「男の子用のおむつ」、「女の子用のおむつ」等の購入者（所有者）を対象として、追加のすごろく画面表示処理（Ｓ４７）を実行させても良い。このような処理が実行されることにより、保護者は、乳幼児に適したおむつを選択し、使用することができる。
【０１０１】
また、本実施形態の対象のおむつ（所定のおむつ）は、乳幼児に対するおむつであることとしたが、これに限られず、例えば、高齢者の向けおむつ（例えば、パンツ型おむつ、テープ型おむつ）や「失禁用パッド」としても良い。そのような場合、本実施形態と同様の処理（「排泄情報」の記録に伴う追加処理）が実行されることにより、操作者（介護者）は、高齢者の体格（例えば身長、体重）や体調、介護（介助）の必要度合い等に合わせたおむつを選択し、高齢者に対して使用させ続けることが可能となる。
【０１０２】
また、実行可能なプログラムが記憶された非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ  ｗｉｔｈ  ａｎ  ｅｘｅｃｕｔａｂｌｅ  ｐｒｏｇｒａｍ  ｔｈｅｒｅｏｎ）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Ｒｅａｄ  Ｏｎｌｙ  Ｍｅｍｏｒｙ）等がある。
【符号の説明】
【０１０３】
１０  端末
２０  記憶部
２１  制御部
２２  入力部
２３  画面
２４  通信部
２５  カメラ
３０  トップ画面
３１  日記画面
３２  登録画面
３３  選択画面
３４  紹介画面
３５  受付画面
３６  バーコード読取画面
３７  ステージ画面
３８  すごろく画面
３９  メッセージ画面
４０〜４４，５０〜５３，６０，６２〜６４，７０，７５〜７７，９０〜９２，２００，２０１，３０３〜３０５  アイコン
６１  メモ欄
８０  枠
８１  バーコード
１００  登録画面表示処理部
１０１  選択画面表示処理部
１０２  受付画面表示処理部
１０３  受付処理部
１０４  ステージ画面表示処理部
１０５  すごろく画面表示処理部
１０６  メッセージ画面表示処理部
【図１】
2019192146.tif 000003
【図２】
2019192146.tif 000004
【図３】
2019192146.tif 000005
【図４】
2019192146.tif 000006
【図５】
2019192146.tif 000007
【図６】
2019192146.tif 000008
【図７】
2019192146.tif 000009
【図８】
2019192146.tif 000010
【図９】
2019192146.tif 000011
【図１０】
2019192146.tif 000012
【図１１】
2019192146.tif 000013
【図１２】
2019192146.tif 000014
【図１３】
2019192146.tif 000015
【図１４】
2019192146.tif 000016
【図１５】
2019192146.tif 000017
【図１６】
2019192146.tif 000018